(57)【要約】【課題】  自動製パン器においてタイマー予約を用いて出来上がり時刻を設定する際にユーザにとってより理解の容易な表示をすることで設定可能時刻内の出来上がり時刻の選択を促すことができる自動製パン器を提供すること。【解決手段】  調理容器３０と、製パン器本体２と、操作表示パネル５と、制御手段と、を備えた自動製パン器１において、操作手段は、少なくともコースボタン５ａと、予約設定ボタン５ｃと、時刻設定ボタン５ｄと、スタートボタンと、を備え、制御手段２０は、計時手段２２と、設定可能時刻を出力する比較・演算手段２３と、入力された出来上がり時刻が設定可能時刻内かを判別する判別手段２４とを備え、表示手段は判別手段２４の判別結果を表示する予約可否判別ＬＥＤ５ｆを備え、判別手段２４において入力された出来上がり時刻が設定可能時刻外である場合には予約可否判別ＬＥＤを非表示としスタートボタンの操作を受け付けない。【選択図】  図４
2008168019.tif 000002
【特許請求の範囲】
【請求項１】
被調理材が投入される調理容器と、前記調理容器を収容する製パン器本体と、前記製パン器本体に装着されて各種の表示を行う表示手段と、前記表示手段に表示される種々の設定等を操作する操作手段と、各種調理工程の制御を行う制御手段と、を備えた自動製パン器において、前記操作手段は、少なくとも種々の調理コースを選択するコースボタンと、タイマー予約を行う予約設定ボタンと、タイマー予約時に出来上がり時刻を設定する時刻設定ボタンと、調理の開始を行うスタートボタンと、を備え、前記制御手段は、現在時刻の計時を行う計時手段と、前記コースボタンにより選択された料理コースの調理に要する時間と前記計時手段により計時された現在時刻とに基づいて出来上がり時刻として設定できる設定可能時刻を出力する比較・演算手段と、前記時刻設定ボタンにより入力された出来上がり時刻が前記設定可能時刻内であるか否かを判別する判別手段と、を備え、前記表示手段は、前記判別手段により前記出来上がり時刻が設定可能時刻内であると判別された場合にその旨を表示する判別結果表示手段を備え、前記制御手段は、前記判別手段において前記時刻設定ボタンにより入力された出来上がり時刻が前記設定可能時刻外であると判別された場合には前記判別結果表示手段を非表示とするとともに前記スタートボタンの操作を受け付けないようにすることを特徴とする自動製パン器。
【請求項２】
前記制御手段はさらに過去に設定された出来上がり時刻を記憶する記憶手段を備え、前記予約設定ボタンが表示されたときには、前記記憶手段内に記憶された最新の出来上がり時刻を前記表示装置に表示することを特徴とする請求項１に記載の自動製パン器。
【請求項３】
前記予約設定ボタンが操作され、前記時刻設定ボタンにより入力された出来上がり時刻が前記設定可能時刻外の状態で前記スタートボタンが操作された場合に警告を行う警告手段をさらに備えていることを特徴とする請求項１に記載の自動製パン器。
【発明の詳細な説明】
【技術分野】
【０００１】
本発明は自動製パン器に関し、特にタイマー予約を用いて調理を行う場合に好適な自動製パン器に関する。
【背景技術】
【０００２】
一般家庭において、食パン、グルメパン、フランスパン等の各種のパンを手軽に焼くことができるとともに、ケーキ等をも焼くことができる自動製パン器が市販されている。
【０００３】
このような自動製パン器において、食パン等を作りたい場合に、タイマー予約を用いて所望の時刻に出来上がるように出来上がり時刻を設定して自動調理することができるものがある（例えば、下記特許文献１参照）。
【０００４】
下記特許文献１に開示された自動製パン器は、ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマー調理のために出来上がりの時刻を設定する予約設定キー及び時刻設定キーと、調理を開始するスタートキーからなる操作部と、現在時刻、出来上がり時刻、および選択されたメニュー等を表示する表示手段と、を備え、予約設定キーにより記憶装置から記憶された時刻を呼び出してタイマー調理のための時刻設定を行うとき、設定された時刻が選択されたメニューの調理所要時間より遅い時刻から現在時刻に所定の時間を加えた時刻より早い時刻までの設定可能時刻かどうかを判断し、設定可能時刻でない場合は別の設定可能時刻を表示するようにしたものである。
【０００５】
また、この自動製パン器におけるより詳細な変形例として、予約設定キーを操作すると記憶装置に記憶された前回調理した予約時刻が表示されるが、この予約時刻が設定可能時刻ではないと判断した場合には調理可能な設定可能時刻の最も早い時刻あるいは最も遅い時刻に設定されるものや、予約設定キーを操作すると、記憶装置に記憶された予約時刻が表示されるが、この予約時刻が設定可能時刻でなかった場合には、一時的にこの予約時刻と設定禁止時刻であることを表示した後に調理可能な設定可能時刻に設定されるものについても開示されている。
【特許文献１】特開２００５−０４０４８４号公報（請求項１、３、４、６）
【発明の開示】
【発明が解決しようとする課題】
【０００６】
しかしながら、上記特許文献１に開示された自動製パン器においては、タイマー予約を行うため予約設定キーを操作した段階で、一時的に前回のタイマー予約による出来上がり時刻が表示される場合はあるが、基本的には前回の出来上がり時刻が設定可能時刻外である場合には自動的に設定可能時刻内に変更され表示される。そして、時刻設定キーによる出来上がり時刻の選択操作の際にも設定可能時刻内しか選択できないようになっている。そのため、ユーザによっては選択可能な時刻が設定可能時刻と気づかず、故障したと誤認する可能性がある。
【０００７】
本発明者らは上記問題点に鑑み、ユーザにとってより理解しやすい形でタイマー予約で設定可能な時刻範囲を報知できるものを種々検討し、本発明に至ったものである。
【０００８】
すなわち、本発明の目的は、自動製パン器においてタイマー予約を用いて出来上がり時刻を設定する際にユーザにとってより理解の容易な表示をすることで設定可能時刻内の出来上がり時刻の選択を促すことができる自動製パン器を提供することである。
【課題を解決するための手段】
【０００９】
上記目的を達成するために、請求項1に記載の自動製パン器の発明は、被調理材が投入される調理容器と、前記調理容器を収容する製パン器本体と、前記製パン器本体に装着されて各種の表示を行う表示手段と、前記表示手段に表示される種々の設定等を操作する操作手段と、各種調理工程の制御を行う制御手段と、を備えた自動製パン器において、
前記操作手段は、少なくとも種々の調理コースを選択するコースボタンと、タイマー予約を行う予約設定ボタンと、タイマー予約時に出来上がり時刻を設定する時刻設定ボタンと、調理の開始を行うスタートボタンと、を備え、前記制御手段は、現在時刻の計時を行う計時手段と、前記コースボタンにより選択された料理コースの調理に要する時間と前記計時手段により計時された現在時刻とに基づいて出来上がり時刻として設定できる設定可能時刻を出力する比較・演算手段と、前記時刻設定ボタンにより入力された出来上がり時刻が前記設定可能時刻内であるか否かを判別する判別手段と、を備え、前記表示手段は、前記判別手段により前記出来上がり時刻が設定可能時刻内であると判別された場合にその旨を表示する判別結果表示手段を備え、前記制御手段は、前記判別手段において前記時刻設定ボタンにより入力された出来上がり時刻が前記設定可能時刻外であると判別された場合には前記判別結果表示手段を非表示とするとともに前記スタートボタンの操作を受け付けないようにすることを特徴とする。
【００１０】
また、請求項２に記載の発明は、請求項１に記載の自動製パン器において、前記制御手段はさらに過去に設定された出来上がり時刻を記憶する記憶手段を備え、前記予約設定ボタンが表示されたときには、前記記憶手段内に記憶された最新の出来上がり時刻を前記表示装置に表示することを特徴とする。
【００１１】
また、請求項３に記載の発明は、請求項１に記載の自動製パン器において、前記予約設定ボタンが操作され、前記時刻設定ボタンにより入力された出来上がり時刻が前記設定可能時刻外の状態で前記スタートボタンが操作された場合に警告を行う警告手段をさらに備えていることを特徴とする。
【発明の効果】
【００１２】
本発明は上記構成を備えることにより、以下に示すような優れた効果を奏するものである。すなわち、請求項１の発明によれば、タイマー予約を行う際に、出来上がり時刻として設定可能な設定可能時刻内の時刻が選択されたか否かを判別し、設定可能時刻外の出来上がり時刻が選択された際には判別結果表示手段の表示を非表示とするとともにスタートボタンの操作を受け付けないようにしたので、ユーザにとって理解しやすい形で設定可能時刻内の出来上がり時間の設定を促すことができ、ユーザフレンドリーな自動製パン器が提供できる。
【００１３】
また、請求項２の発明によれば、記憶手段に記憶された過去の出来上がり時刻をタイマー予約時に表示することによって過去の出来上がり時刻をユーザに常に知らせることができるようになる。
【００１４】
また、請求項３の発明によれば、設定可能時刻外の出来上がり時刻が選択された際に、警告手段、例えば表示、ＬＥＤあるいはブザー等による報知を行うことができるので、ユーザに確実に設定可能時刻外であることを報知することができるようになる。
【発明を実施するための最良の形態】
【００１５】
以下、図面を参照して本発明の最良の実施形態を説明する。但し、以下に示す実施形態は、本発明の技術思想を具体化するための自動製パン器を例示するものであって、本発明をこれらに特定することを意図するものではなく、特許請求の範囲に含まれるその他の実施形態のものも等しく適応し得るものである。
【実施例】
【００１６】
図１は本発明の一実施例に係る自動製パン器に調理容器を装着した状態での縦断面図、図２は図１の自動製パン器の操作表示パネルを示す平面図、図３は図１の自動製パン器の制御ブロック図である。
【００１７】
この自動製パン器１は、図１に示すように、所定量の製パン或いはケーキ材料と水等の被調理材が投入される調理容器３０と、この調理容器３０を収容し被調理材を攪拌する攪拌手段および加熱調理する加熱手段並びにこれらの攪拌手段および加熱手段を制御し被調理材の混合から焼成までを自動的に行う制御手段２０を有する製パン器本体２とで構成されている。
【００１８】
製パン器本体２は、箱型の容器からなるケース３、開閉蓋４、操作表示パネル５、焼成槽６、焼成ヒータ７、ボイラ８、モータ１９、動力伝達ユニット１３、および制御手段２０等で構成されている。また、調理容器３０は、焼成槽６の内部でボイラ８の上方に取り外し可能に装着されるようになっている。
【００１９】
ケース３は、ほぼ直方体形状の箱型容器からなり、その上部に容器を挿入する開口３ａが設けられ、この開口３ａに開閉蓋４が開閉可能に取り付けられている。また、この開口３ａに近接した箇所に、操作表示パネル５が装着されている。
【００２０】
また、操作表示パネル５には、図２に示すように、米粉や小麦粉、天然酵母等の米粉の種類を選択するとともに調理メニューの選択を行うコースボタン５ａと、タイマー予約を設定するための予約設定ボタン５ｃと、タイマー予約の際等に使用する時刻設定ボタン５ｄと、スタートボタンと、とりけしボタンと、からなる操作手段、及び、コースボタン５ａによって選択されるメニューを表示するメニュー表示部５ｂと、現在時刻及び予約・時刻設定ボタン５ｃ、５ｄによって設定された予約時刻を表示する時刻・予約時刻表示部５ｅと、からなる表示手段が設けられる。なお、操作手段を構成するスタートボタンは、調理を開始する際に押下されることに加えて、タイマー予約時の設定の際にも押下されるものである。
【００２１】
さらに、この操作表示パネルのスタートボタンの一部には、後述する判別手段２４の判別結果に基づいて点灯あるいは消灯される判別結果表示手段としての予約可否判別ＬＥＤ５ｆが取り付けられている。この予約可否判別ＬＥＤ５ｆは、予約設定を行う際に時刻・予約時刻表示部５ｅに表示される予約時刻が設定可能時刻内である場合には点灯あるいは点滅し、設定可能時刻外である場合には消灯するように制御されている。
【００２２】
焼成槽６は、パン生地を焼き上げる雰囲気を作るもので、ケース３の開口３ａに対応する領域に配設されている。この焼成槽６の外周壁には、図１に示すように、焼成槽６内部の雰囲気温度を検出するサーミスタ６ａが設けられている。焼成ヒータ７は、焼成槽６の内部の雰囲気温度を調節するもので、焼成槽６の底部寄りの内周壁に設けられている。また、この焼成ヒータ７は、予備加熱ヒータにも兼用されるが、別途予熱用ヒータを設けてもよい。
【００２３】
ボイラ８は、図１に示すように、焼成槽６の底部に設置され且つ平面視でほぼ小判形に形成されて上方が開口した水を収容する水容器８ａと、この水容器８ａの底部外周壁に取り付けられて水容器８ａ内の水を蒸発させるボイラヒータ８ｂとからなる。水容器８ａの中心領域には、円筒壁９が設けられており、この円筒壁９の上下方向中間の水平壁にスピンドル軸１０が回転可能に上下に貫通されている。このスピンドル軸１０の上方突出端には駆動ギヤ１２が固定されている。また、この製パン器本体２は、各種製パン、ケーキ生地、餅の作成、および被調理物の蒸し器としても使用可能とした多機能器であって、ボイラ８は主にこの餅の作成および被調理物の蒸しに使用される。
【００２４】
モータ１９は、ボイラ８に設けられるスピンドル軸１０を、動力伝達ユニット１３を介して回転駆動するもので、操作表示パネル５の下方の領域に配設されている。動力伝達ユニット１３は、ケース３の内底部のほぼ全域にわたって設けられ、モータ１９の回転動力をスピンドル軸１０に伝達するもので、モータ１９の出力軸に固定されるプーリ１３ｃと、スピンドル軸１０の下端に取り付けられるプーリ１３ａと、両プーリ１３ａ、１３ｃに巻き掛けられる無端ベルト１３ｂとで構成されている。
【００２５】
調理容器３０は、１斤の食パンを焼成できる大きさの僅かに縦長な長方体形状をなしている。この調理容器３０の底部中心には、回転軸３１が上下貫通する状態で設けられている。この回転軸３１の上方突出端には、パン材料を混合・捏ねるための攪拌ブレード３２が着脱可能に設けられ、また、回転軸３１の下方突出端には、スピンドル軸１０の駆動ギヤ１２に対して噛合する従動ギヤ１４が取り付けられている。
【００２６】
また、調理容器３０の底部外壁面には、ボイラ８の水容器８ａに対して固定するための台座１５が設けられている。この台座１５は、上述したボイラ８の水容器８ａを覆い、水容器８ａを密封する蓋の役割をなす形状に形成されている。
【００２７】
制御手段２０は、操作表示パネル５およびサーミスタ６ａ等から種々の情報が入力されて製パン制御をするためのもので、ケース３内の操作表示パネル５とモータ１９との間に設けられている。この制御手段２０は、図３に示すように、ＣＰＵ、ＲＯＭ、ＲＡＭおよび入出力用の通信ポート等を１チップ上に集積したマイコンであるＭＣＵ（Micro Controller Unit）２１からなり、これにサーミスタ６ａと、操作表示パネル５に設けられた操作手段であるコースボタン５ａ、スタートボタン、とりけしボタン、予約設定ボタン５ｃ及び時刻設定ボタン５ｄ等のスイッチと、操作表示パネル５のメニュー表示部５ｂ、時刻・予約時刻表示部５ｅ等の電光表示を行うためのＬＣＤと、スタート表示、とりけし表示、予約表示を行うためのＬＥＤと、モータ１９と、焼成ヒータ７及びボイラヒータ８ｂを含むヒータ回路と、ブザーとが接続される。ＭＣＵ２１は、スタートボタン、とりけしボタン、予約・時刻設定ボタン５ｃ、５ｄ等のスイッチから入力された設定・制御指示と、サーミスタ６ａ等から入力される情報に基づき焼成ヒータ７、ボイラヒータ８ｂの動作を制御するとともに、操作表示パネル５の種々のＬＣＤ、ＬＥＤ表示を制御する。
【００２８】
さらにＭＣＵ２１は、計時手段２２と、比較・演算手段２３と、判別手段２４と、記憶手段２５とを備えている。
【００２９】
このうち、計時手段２２は現在時刻を計時するものであり、比較・演算手段２３はコースボタン５ａで選択された調理コースの調理に要する時間を参照して、この調理に要する時間と計時手段２２で計時された現在時刻とに基づいて、タイマー予約時の設定可能時刻を演算出力するものである。なお、この設定可能時刻とは、現在時刻に調理に要する時間を加算した時刻を最小とした所定幅の時刻であって、その最大時間は調理容器３０内の被調理物（例えば食パン用の生地）が腐敗しない時間、例えば現在時刻から１２時間後が設定されている。
【００３０】
また、判別手段２４は、タイマー予約を行う際にユーザが時刻設定ボタン５ｄを操作して出来上がり時刻として選択する時刻と、比較・演算手段２３で出力された設定可能時刻とを比較して、このユーザが選択した出来上がり時刻が設定可能時刻内であるか否かを判別するものである。なお、この判別手段２４によって設定可能時刻外であると判別された場合には、ＭＣＵ２１から警告手段、すなわちＬＣＤ（又はＬＥＤ）及びブザーにその旨の信号が出力されて、これらに設定可能時間外であることが表示され、ＬＥＤが消灯され、あるいはブザーが鳴動されることにより、ユーザに報知を行うようになっている。
【００３１】
また、記憶手段２５には、過去に出来上がり時刻として設定された時刻情報が記憶されており、予約設定ボタン５ｃが押下された際には記憶手段２５内の最新の出来上がり時刻をデフォルト表示するようになっている。なお、ここで述べる最新の出来上がり時刻とは、通常調理を含む過去の時刻情報のうちの最新の出来上がり時刻か、あるいは最新のタイマー設定を利用した調理の際の出来上がり時刻であり、この出来上がり時刻は各種コース毎に記憶され表示されるようになすとさらに好ましい。
【００３２】
次に、本発明の自動製パン器１におけるタイマー予約の設定工程について、図４を参照して説明する。なお、図４は自動製パン器におけるタイマー予約設定を行う工程を示す制御フローチャートである。
【００３３】
ユーザは、初めにコースボタン５ａを押下することによって被調理物に伴う調理コースを選択する（ステップＳ０１）。次いで、スタートボタンが押下されると（ステップＳ０２でＹｅｓ）、自動製パン器１は選択された調理コースでの通常の調理工程を開始する。また、スタートボタンが押下されることなく（ステップＳ０２でＮｏ）、予約設定ボタン５ｃが押下されると（ステップＳ０３でＹｅｓ）、出来上がり時刻が入力可能な状態となるとともに、記憶手段２５を参照して過去のタイマー予約設定のうち、最新の出来上がり時刻の時刻情報を時刻・予約時刻表示部５ｅに表示する（ステップＳ０４）。このような表示をなすと、直前になされた出来上がり時刻をユーザが常に確認することができるので好ましい。
【００３４】
また、予約設定ボタン５ｃが押下された時点（ステップＳ０３でＹｅｓ）で時刻設定ボタン５ｄによる予約時刻の選択が可能な状態となっており、この状態で時刻設定ボタン５ｄが押下されない場合（ステップＳ０５でＮｏ）には、そのまま比較・演算手段２３において設定可能時刻を算出する（ステップＳ０７）。また、時刻設定ボタン５ｄが押下された場合（ステップＳ０５でＹｅｓ）には、予約出来上がり時刻を時刻設定ボタン５ｄの操作に伴って変更する（ステップＳ０６）と同時にメニュー表示部５ｂに予約出来上がり時刻を表示した後、比較・演算手段２３において設定可能時刻を算出する（ステップＳ０７）。
【００３５】
そして、このように設定された予約出来上がり時刻及び設定可能時刻に基づき、判別手段２４において予約出来上がり時刻が設定可能時刻の範囲内であるか否かが判別される（ステップＳ０８）。このとき予約出来上がり時刻、すなわちメニュー表示部５ｂに表示された時刻が設定可能時刻の範囲内である場合には（ステップＳ０８でＹｅｓ）、この予約出来上がり時刻で予約設定が可能である旨を表示する（ステップＳ０９）。この表示は、詳しくは予約可否判別ＬＥＤ５ｆを点灯あるいは点滅させることにより行う。そして、この状態でスタートボタンが押下されなければ（ステップＳ１０でＮｏ）ステップＳ０４に戻って時刻設定ボタン５ｄによる予約出来上がり時刻の変更が可能な状態が維持され、スタートボタンが押下されると（ステップＳ１０でＹｅｓ）タイマー予約を開始してタイマー予約設定工程を終了する。
【００３６】
反対に、ステップＳ０８において、予約出来上がり時刻、すなわちメニュー表示部５ｂに表示された時刻が設定可能時刻の範囲外である場合には（ステップＳ０８でＹｅｓ）、予約可否判別ＬＥＤ５ｆによる報知を行わず、この状態でスタートボタンが押下されれば（ステップＳ１１でＹｅｓ）、予約設定が不可能である旨をブザー及び各種表示手段による警告報知によってユーザに報知する（ステップＳ１２）。なお、スタートボタンが押下されなければ（ステップＳ１１でＮｏ）引き続き時刻設定ボタン５ｄによる予約出来上がり時刻の変更が可能な状態が維持される。
【００３７】
以上説明したように、本発明の自動製パン器は、タイマー予約時に予約設定時刻外の出来上がり時刻の選択をなくすことができるとともに、出来上がり時刻として選択された時刻が予約設定時刻外であるか否かを予約可否判別ＬＥＤ５ｆによる表示により簡単に知ることができ、以ってユーザに理解しやすい表示及び報知を提供することができるので、ユーザフレンドリーな自動製パン器となる。
【図面の簡単な説明】
【００３８】
【図１】図１は本発明の一実施例に係る自動製パン器の調理容器を装着した状態の縦断面図である。
【図２】図２は図１の自動製パン器の操作表示パネルを示す平面図である。
【図３】図３は図１の自動製パン器の制御ブロック図である。
【図４】図４は自動製パン器におけるタイマー予約設定を行う工程を示す制御フローチャートである。
【符号の説明】
【００３９】
１      自動製パン器
２      製パン器本体
３      ケース
４      開閉蓋
５      操作表示パネル
５ａ    コースボタン
５ｂ    メニュー表示部
５ｃ    予約設定ボタン
５ｄ    時刻設定ボタン
５ｅ    時刻・予約時刻表示部
５ｆ    予約可否判別ＬＥＤ
６      焼成槽
６ａ    サーミスタ
７      焼成ヒータ
２０    制御手段
２１    ＭＣＵ
２２    計時手段
２３    比較・演算手段
２４    判別手段
２５    記憶手段
３０    調理容器
【図１】
2008168019.tif 000003
【図２】
2008168019.tif 000004
【図３】
2008168019.tif 000005
【図４】
2008168019.tif 000006